(57)【要約】      （修正有）【課題】貫流アウトレットバイアルの出口で流出物の連続流を提供することが可能な完備したキャピラリ電気泳動（ＣＥ）システムを提供する。【解決手段】質量分析と接続するための貫流アウトレットバイアルと自己完結型キャピラリ電気泳動システムは、上流の入端部および下流の末端部を有するキャピラリ１４と；内部のテーパ状の空洞３０を規定する内壁を有する導電性中空針２２であって、内部のテーパ状の空洞３０がキャピラリ１４の末端部２０を摺動自在に受け入れるよう寸法構成され、キャピラリ１４がある距離まで内部のテーパ状の空洞３０内に長手方向に挿入されて取り付けられ、これによってキャピラリ１４の末端部２０がテーパ形状の針の内壁に接する導電性中空針２２と；を具え、キャピラリ１４の末端部２０と下流の出口との間にマイクロリザーバ３２が形成される。【選択図】図３（ａ）
2015148622.tif 000002
【特許請求の範囲】
【請求項１】
カラム分離システムにおいて、
上流の入端部および下流の末端部を有するキャピラリと、
内部のテーパ状の空洞を規定する内壁を有する導電性中空針であって、当該導電性中空針が上流の開口と下流の出口とを有し、当該下流の出口が前記上流の開口に軸方向で対向し、前記内部のテーパ状の空洞が前記開口の大径から前記出口の小径へ減少する径を有するよう寸法構成され、前記開口から前記出口へ長手方向の内壁にテーパ形状を形成し、前記導電性中空針の内部のテーパ状の空洞が丸い形状を有し、当該丸い形状が前記下流の出口の小径と前記上流の開口の大径とを有し、前記開口の大径が前記キャピラリの末端部を摺動自在に受け入れるよう寸法構成され、前記キャピラリが所定の距離まで内部のテーパ状の空洞内に長手方向に挿入されて取り付けられ、これによって前記キャピラリの末端部が動作状態で前記テーパ形状の導電性中空針の内壁に接する、導電性中空針とを具え、
前記キャピラリの末端部と前記下流の出口との間に貫流マイクロリザーバが形成され、
前記導電性中空針が下流の斜めの先端部を有することを特徴とするシステム。
【請求項２】
請求項１に記載のシステムがさらに、
補助溶液を提供する前記導電性中空針の上流の接続手段を具え、これによって前記補助溶液が前記導電性中空針の上流の開口から前記貫流マイクロリザーバへ前記キャピラリの外部に沿って同軸で流れるよう導かれることを特徴とするシステム。
【請求項３】
請求項２に記載のシステムにおいて、前記接続手段が、
第１の開口と第２の開口を有する管状体であって、前記第１の開口が前記第２の開口に軸方向で対向し、前記キャピラリを自身に通過させるよう寸法構成された管状体と、
前記第１の開口内に前記キャピラリを固定する手段と、
前記第２の開口内に前記導電性中空針を固定する手段と、
前記管状体に垂直な管状分岐部であって、前記第１の開口に垂直な分岐開口を有し、前記分岐開口内に予備のキャピラリを固定する手段を提供された管状分岐部とを具えることを特徴とするシステム。
【請求項４】
請求項１〜３の何れか１項に記載のシステムにおいて、前記導電性中空針の下流の出口がエレクトロスプレーエミッタとして使用されるよう構成されていることを特徴とするシステム。
【請求項５】
請求項１〜４の何れか１項に記載のシステムにおいて、前記導電性中空針の下流の出口が質量分析計に連結されることを特徴とするシステム。
【請求項６】
請求項１〜４の何れか１項に記載のシステムにおいて、前記導電性中空針の下流の出口がフラクションコレクタに連結されることを特徴とするシステム。
【請求項７】
請求項１〜４の何れか１項に記載のシステムにおいて、前記導電性中空針の下流の出口が外部の分析装置に連結されることを特徴とするシステム。
【請求項８】
下流の検出システムにカラム分離システムを連結するインターフェイスにおいて、当該インターフェイスが、
内部のテーパ状の空洞を規定する内壁を有する導電性中空針であって、当該導電性中空針が上流の開口と下流の出口とを有し、当該下流の出口が前記上流の開口に軸方向で対向し、前記内部のテーパ状の空洞が前記上流の開口の大径から前記下流の出口の小径へ減少する径を有するよう寸法構成され、前記上流の開口から前記下流の出口へ長手方向の内壁にテーパ形状を形成する、導電性中空針と、
上流の入口端部と、下流の末端部と、外径とを有するキャピラリであって、前記キャピラリの外径が前記下流の出口より大きく、前記導電性中空針の開口の大径が前記キャピラリの末端部を摺動自在に受け入れるよう寸法構成され、前記キャピラリが動作状態で所定の距離まで前記内部のテーパ状の空洞内に挿入されて取り付けられ、これによって前記キャピラリの末端部が動作状態で前記テーパ形状の導電性中空針の内壁と接する、キャピラリと、
前記キャピラリの末端部と前記下流の出口との間に形成された貫流マイクロリザーバとを具え、
前記導電性中空針が前記出口の下流に前記導電性中空針の軸に関して非対称の斜めの先端部を有することを特徴とするインターフェイス。
【請求項９】
請求項８に記載のインターフェイスにおいて、リザーバ電解質が前記キャピラリを介して提供されることを特徴とするインターフェイス。
【請求項１０】
請求項８又は９に記載のインターフェイスにおいて、リザーバ電解質が前記導電性中空針の上流の開口を介して提供されることを特徴とするインターフェイス。
【請求項１１】
キャピラリ電気泳動−質量分析システムにおいて、
第１のバイアルと、
第１のバイアル内に配置された電極と、
内部のテーパ状の空洞を規定する内壁を有する導電性中空針であって、当該導電性中空針が上流の開口と下流の出口とを有し、当該下流の出口が前記上流の開口に軸方向で対向し、前記内部のテーパ状の空洞が前記上流の開口の大径から前記下流の出口の小径へ減少する径を有するよう寸法構成され、前記上流の開口から前記下流の出口へ長手方向の内壁にテーパ形状を形成する、導電性中空針と、
第１の端部と、第２の端部と、外径とを有するキャピラリであって、前記外径が前記下流の出口より大きく、前記第１の端部が前記第１のバイアル内に配置され、前記第２の端部が前記内部のテーパ状の空洞内に配置され、前記導電性中空針の開口の大径が前記キャピラリの第２の端部を摺動自在に受け入れるよう寸法構成され、前記キャピラリの第２の端部が動作状態で前記テーパ形状の導電性中空針の内壁と接し、前記第２の端部と前記導電性中空針の内壁が貫流マイクロリザーバを規定し、当該貫流マイクロリザーバがリザーバ電解質を含むのに適しており、前記貫流マイクロリザーバが前記リザーバ電解質を含むとき、当該リザーバ電解質が前記キャピラリの第２の端部と前記導電性中空針との間に電気的接続を形成し、前記電極と前記導電性中空針との間に第１の電位が印加されるとき、キャピラリ電気泳動分離が生じる、キャピラリと、
前記下流の出口の近傍に対電極とを具え、前記貫流マイクロリザーバが前記リザーバ電解質を含み、前記導電性中空針と前記対電極との間に第２の電位が印加されるとき、前記貫流マイクロリザーバの下流でエレクトロスプレーイオン化が生じ、これによって前記キャピラリ電気泳動分離と前記エレクトロスプレーイオン化とを分離し、
前記導電性中空針が斜めの先端部を有することを特徴とするシステム。
【請求項１２】
請求項１１に記載のキャピラリ電気泳動−質量分析システムがさらに、前記導電性中空針の上流の開口と液通する第２のバイアルを具え、当該第２のバイアルが加圧され、当該第２のバイアルが前記リザーバ電解質を提供することを特徴とするシステム。
【請求項１３】
請求項１１又は１２に記載のキャピラリ電気泳動−質量分析システムにおいて、前記第１のバイアルが加圧され、当該第１のバイアルが前記リザーバ電解質を提供することを特徴とするシステム。
【請求項１４】
請求項２〜７の何れか１項に記載のシステムにおいて、前記カラム分離システムがキャピラリ電気泳動システムであることを特徴とするシステム。
【請求項１５】
請求項８〜１０の何れか１項に記載のインターフェイスにおいて、前記導電性中空針の下流の出口がエレクトロスプレーエミッタとして使用されるよう構成されていることを特徴とするインターフェイス。
【請求項１６】
請求項８〜１０及び１５の何れか１項に記載のインターフェイスにおいて、前記インターフェイスが質量分析計にキャピラリ電気泳動システムを連結することを特徴とするインターフェイス。
【発明の詳細な説明】
【技術分野】
【０００１】
本発明は、貫流アウトレットバイアルの出口で流出物の連続流を提供することが可能な完備したキャピラリ電気泳動（ＣＥ）システムに関する。特に、本発明は質量分析と接続するための貫流アウトレットバイアルを持つ自己完結型キャピラリ電気泳動システムに関する。
【背景技術】
【０００２】
キャピラリ電気泳動（ＣＥ）は、狭い内径の石英ガラスキャピラリに渡って印加される高電位を用いる分析技術であり、溶液中のイオンを分離する。印加された電界中で、陽イオンと陰イオンが溶液中で陽極と陰極へそれぞれ移動する。さらに、内側のキャピラリ壁の表面電荷と、ｐＨと、電解質成分とに依存して、ＣＥプロセス中に電気浸透流を存在させることができる。
【０００３】
ＣＥは優れた分離効率を提供するが、小さなキャピラリの内径（＜１００μｍ）は光検出法にとって非常に短い光路長である。これは、小量の注入が用いられると共に、液体クロマトグラフィを用いて達成可能なものより大抵低い濃度感度をもたらす。光検出の１つの魅力ある代替案は質量分析（ＭＳ）であり、これは高感度な検出を提供する上、気相の更なる分離と被検体の構造的な情報とを提供する。しかしながら、２つの方法の接続には多くの課題が存在する。ＭＳで分析するために、ＣＥ中に溶液中のイオンが気体イオンに変化させなければならない。さらに、オンラインで動作するために、分離分解能を著しく低減しない別の手段の電気接点によって典型的なＣＥ機器のアウトレットバイアルを置換しなければならない。
【０００４】
この連結を達成するのに最も普及している方法は、エレクトロスプレーイオン化（ＥＳＩ）であり、これはＤｏｌｅら［Dole, M., L.L. Mack, R.L. Hines, R.C. Mobley, L.D. Ferguson and M.B. Alice, Molecular Beams of Macroions, Journal of Chemical Physics, 1968, 49(5), p. 2240を参照］によって質量分析のイオン源として最初に提案された。Ｆｅｎｎらの様々な教示は、質量分析のＥＳＩの電位を実証するのに役立った［Yamashita, M. and J.B. Fenn, Negative ion production with the electrospray ion source, Journal of Physical Chemistry, 1984, 88(20), p. 4671-4675; Yamashita, M. and J.B. Fenn, Another variation on the free-jet theme, Journal of Chemical Physics, 1984, 88, p. 4451-4459; Whitehouse, C.M., R.N. Dreyer, M. Yamashita and J.B. Fenn, Electrospray interface for liquid chromatographs and mass spectrometers, Analytical Chemistry, 1985, 57(3), p. 675-679を参照］。それ以来、ＥＳＩは、その多用性と、使いやすさと、大きな生体分子に対する有効性とにより、イオン化技術の中で最も一般的に用いられる種類の１つになってきた。
【０００５】
ＥＳＩは、キャピラリを貫流する液体試料に高電位を印加することに関係している。液体試料からの液滴は帯電して、電気泳動型の荷電分離が発生する。陽イオンモードのＥＳＩでは、陽イオンがキャピラリ先端部の液体メニスカスの下流へ移動する。陰イオンは、帯電強化をもたらし、キャピラリの後方へ反発される。帯電した液滴の後続の分裂［Schmelzeisen, R., Desolvation of ions and molecules in thermospray mass spectrometry, International Journal of Mass Spectrometry and Ion Processes, 1989, 90(2): p. 139-150を参照］または蒸発［Iribarne, J.V. and B.A. Thomson, On the evaporation of small ions from charged droplets, 1976, AIP, p. 2287を参照］が、１つの溶媒和された気相イオン［Kebarle, P. and L. Tang, From ions in solution to ions in the gas phase - the mechanism of electrospray mass spectrometry, Analytical Chemistry, 1993, 65(22), p. 972A-986Aを参照］の形成をもたらす。次いで、これらのイオンは、それらの質量対帯電比に基づく分離と検出を行う質量分析器の開口に送られる。
【０００６】
ＣＥ−ＥＳＩ−ＭＳの課題は、ＣＥプロセスとＥＳＩプロセスの双方がＣＥ分離の電気浸透流を中断することなくキャピラリの出口で電極と溶液の安定した電気的接触を必要とするということである。様々なインターフェイスが提案されたが、大部分は、試料の過剰な希釈と、分解能の低下と、スプレーの不安定性および／または脆弱性と、インターフェイスのコストの問題の影響を受ける。ＣＥ−ＭＳ用に提案されたインターフェイスは、２つのカテゴリ：ＣＥ溶離剤と混合する付加的な液流を用いるものと、用いないものとに分類することができる。
【０００７】
第１カテゴリは、シース流インターフェイスとして知られており、ＣＥ−ＭＳアプリケーション［Smith, R.D., C.J. Barinaga and H.R. Udseth, Improved electrospray ionization interface for capillary zone electrophoresis-mass spectrometry, Analytical Chemistry, 1988, 60(18), p. 1948-1952を参照］の初期に最も普及した種類のインターフェイスであり、また現在の商用のＣＥ−ＥＳＩ−ＭＳシステムで見受けられるデザインである。キャピラリの末端部を巡って流れるシース液は２つの目的に役に立つ。第１の目的は、ＣＥ分離とＥＳＩプロセスを促進するためにキャピラリ溶液と電気的接触を確立することである。第２の目的は、ＣＥ電解質の成分を変更してＥＳＩとＭＳの検出で互換性をもつようにすることである。さらに、ＣＥ−ＭＳ開発の初期段階では、大抵のインターフェイスは既存のＬＣ−ＭＳ構成に適合するよう適合されており、これはＣＥによって提供されるものより非常に速い流速を必要とした。したがって、シース液はさらに液体クロマトグラフィで見受けられるものに匹敵するレベルまで液流を増加させる役目を果たした。
【０００８】
シース流インターフェイスはさらに、２つのカテゴリ：シース液流が分離キャピラリと同軸で、キャピラリの末端部で分離バッファと混合するものと、シース液がＣＥの末端部前の接合部によって追加されるものとに分類することができる。同軸のシース流インターフェイスは、液絡［Pleasance,  S., P. Thibault, and J. Kelly, Comparison of liquid-junction and coaxial interfaces for capillary electrophoresis-mass spectrometry with application to compounds of concern to the aquaculture industry, Journal of Chromatography, 1992, 591(1-2), p. 325-339を参照］のもの以上に改善された性能を提供することが実証されている。
【０００９】
シース流インターフェイスはＣＥ分離中に用いられる種々の条件を受け入れるが、シース液の追加は試料を希釈し、感度の著しい低下をもたらす。ＣＥで用いられる小量の注入が最初に低い濃度感度を提供するので、この更なる低下は多くの場合許容できないものである。最近では、さらに低い流速（２００ｎＬ／分以下）を用いるシース流インターフェイスが開発されている（Ｗａｈｌ，Ｊ．Ｈ．ら、Ａｔｔｏｍｏｌｅ  Ｌｅｖｅｌ  Ｃａｐｉｌｌａｒｙ  Ｅｌｅｃｔｒｏｐｈｏｒｅｓｉｓ−Ｍａｓｓ  Ｓｐｅｃｔｒｏｍｅｔｒｉｃ  Ｐｒｏｔｅｉｎ  Ａｎａｌｙｓｉｓ  Ｕｓｉｎｇ  ５−μｍ−ｉ．ｄ．Ｃａｐｉｌｌａｒｉｅｓ，Ａｎａｌｙｔｉｃａｌ  Ｃｈｅｍｉｓｔｒｙ、１９９２．６４：ｐ．３１９４−３１９６；Ｏｌｉｖａｒｅｓ，Ｊ．Ａ．ら、Ｏｎ−Ｌｉｎｅ  Ｍａｓｓ  Ｓｐｅｃｔｒｏｍｅｔｒｉｃ  Ｄｅｔｅｃｔｉｏｎ  ｆｏｒ  Ｃａｐｉｌｌａｒｙ  Ｚｏｎｅ  Ｅｌｅｃｔｒｏｐｈｏｒｅｓｉｓ、Ａｎａｌｙｔｉｃａｌ  Ｃｈｅｍｉｓｔｒｙ、１９８７．５９：ｐ．１２３１）。これらの１つ、加圧された液絡は、最初の液絡デザインに類似しているが、その接合部は僅かに広く（最大３００μｍ）、構成液の加圧されたリザーバ内に配置される。圧力の追加は、低下した分解能をもたらす隙間領域内のＣＥ流出物のピンぼけを防止するのに役立つ。また、分離キャピラリに渡る差圧による逆流を防止するために、入口バイアルも加圧しなければならない。導電性の構成液は、バックグラウンド電解質（ＢＧＥ）と共有電極との間に電気的接触を確立し、ＣＥからの流速が不十分であるときに、エレクトロスプレーの先端部へ安定した流れを提供する［Fanali, S., G. D'Orazio, F. Foret, K. Kleparnik, and Z. Aturki, On-line CE-MS using pressurized liquid junction nanoflow electrospray interface and surface-coated capillaries, Electrophoresis, 2006, 27(23), p. 4666-4673を参照］。これらの「加圧された接合部」のインターフェイスで導入された付加的な流れは希釈因子を加えるが、これは従来のシース流インターフェイスの場合よりも非常に少ない。
【００１０】
また、シース流ナノスプレーインターフェイスがシリカキャピラリの同軸配置を用いて開発されている［Liu, C.C., J.Z. Zhang, and N.J. Dovichi, A sheath-flow nanospray interface for capillary electrophoresis/mass spectrometry, Rapid Communications in Mass Spectrometry, 2005, 19(2), p. 187-192を参照］。分離経路の外側に電気的接触を作成するために、狭い分離キャピラリの末端部は金でコートされる。次いで、それはテーパ状に形成された末端部を持つ大径のシリカキャピラリ内に挿入される。同軸のキャピラリアセンブリは、標準のイオンスプレーインターフェイスに取り付けられる。シース液は大きなキャピラリを通過し、分離キャピラリの末端部上を流れ、テーパ状の先端部にＣＥ流出物を運ぶ。この機構の希釈因子は１／２以下であり、結合した溶液の合計流速は約５００ｎＬ／分である。
【００１１】
低量のシース流エレクトロスプレーインターフェイスの別の戦略は、出射端の内径を著しく縮小せずに、Ｖ字形の先端部を用いて安定したスプレー動作のため要求される流速を低下させることである［Tseng, M.C., Y.R. Chen, and G.R. Her, A beveled tip sheath liquid interface for capillary electrophoresis-electrospray ionization-mass spectrometry, Electrophoresis, 2004, 25(13), p. 2084-2089を参照］。Ｖ字形の先端部の１つのアプリケーションは、同軸でもなく従来の液絡でもない新しい混合した機構を用いる。ＣＥ流出物とシース液は並列キャピラリの出射端部に運ばれ、出射口で直接混合が発生する［Chen, Y.R., M.C. Tseng, and G.R. Her, Design and performance of a low-flow capillary electrophoresis-electrospray-mass spectrometry interface using an emitter with dual beveled edge, Electrophoresis, 2005, 26(7-8), p. 1376-1382を参照］。
【００１２】
シース流インターフェイス固有の希釈にも拘わらず、これらは多くの重要な利点がある。インターフェイスを出る溶液は最初はシース液で構成されるので、その他でＥＳＩ−ＭＳと互換性がないＣＥプロセスに種々様々のバックグラウンド電解質または添加剤を用いることができる。また、これは電気分解プロセスを被検体経路から離れさせるので、ＣＥキャピラリ末端部で電気的接触を作成するのにシース液を用いるのは有益である。最後に、シース流インターフェイスは一般に堅牢であり、商業化に十分適している。
【００１３】
最近の進歩にも拘わらず、シース流インターフェイスは依然としてシースレスインターフェイスで達成可能な感度と一致していない。シースレスインターフェイスは、液流が通過する部分の数によってしばしば分類される。最初のシースレスインターフェイスとよくあるタイプのシースレスインターフェイスとは、分離チャンネルとエレクトロスプレー出射の双方として作用する単一セクションのキャピラリにのみ関係している。実際に、キャピラリ電気泳動のオンライン検出器としての質量分析のまさに初の実証は、１９８７年にＯｌｉｖａｒｅｓとその同僚によって報告されており［Olivares, J.A., N.T. Nguyen, C.R. Yonker, and R.D. Smith, On-line mass spectrometric detection for capillary zone electrophoresis, Analytical Chemistry, 1987, 59(8), p. 1230-1232を参照］、金属シース電極から僅かに突出するキャピラリ末端部上への銀の蒸着によって製造されたインターフェイスを用いている。蒸着された金属は、シース電極とＣＥ電解質との間の接点を作成した。
【００１４】
銀に加えて幾つかのその他の導電性コーティング材料が検査されており、これは金［Kele, Z., G. Ferenc, E. Klement, G.K. Toth, and T. Janaky, Design and performance of a sheathless capillary electrophoresis/mass spectrometry interface by combining fused-silica capillaries with gold-coated nanoelectrospray tips, Rapid Communications in Mass Spectrometry, 2005, 19(7), p. 881-885;  Nilsson S., O. Klett, M. Svedberg, A. Amirkhani, L. Nyholm, Gold-coated fused-silica sheathless electrospray emitters based on vapor-deposited titanium adhesion layers, Rapid Communications in Mass Spectrometry, 2003, 17(14), p. 1535-1540;  Ramsey R.S. and S.A. McLuckey, Capillary Electrophoresis/Electrospray Ionization Ion Trap Mass Spectrometry using a Sheathless Interface, Journal of Microcolumn Separations, 1995, 7(5), p. 461-469を参照］、銅［Zamfir A.D., N. Dinca, E. Sisu, J. Peter-Katalini?, Copper-coated microsprayer interface for on-line sheathless capillary electrophoresis electrospray mass spectrometry of carbohydrates, Journal of Separation Science, 2006, 29(3), p. 414-422を参照］、ニッケル［Bendahl L., S.H. Hansen, and J. Olsen, A new sheathless electrospray interface for coupling of capillary electrophoresis to ion-trap mass spectrometry, Rapid Communications in  Mass Spectrometry, 2002, 16(24), p. 2333-2340］および黒鉛［Chang, Y.Z., Y.R. Chen, and G.R. Her, Sheathless capillary electrophoresis/electrospray mass spectrometry using a carbon-coated tapered fused-silica capillary with a beveled edge, Analytical Chemistry, 2001, 73(21), p. 5083-5087;  Zhu X., S. Thiam, B.C. Valle, and I.M. Warner, A colloidal graphite-coated emitter for sheathless capillary electrophoresis/nanoelectrospray ionization mass spectrometry, Analytical Chemistry, 2002, 74(20), p. 5405-5409;  Nilsson, S., M. Wetterhall, J. Bergquist, L. Nyholm, and K.E. Markides, A simple and robust conductive graphite coating for sheathless electrospray emitters used in capillary electrophoresis/mass spectrometry, Rapid Communications in Mass Spectrometry, 2001, 15(21), p. 1997-2000;  Dahlin, A.P., M. Wetterhall, G. Liljegren, S. K. Bergstrom, P. Andren, L. Nyholm,  K.E. Markides, and J. Bergquist, Capillary electrophoresis coupled to mass spectrometry from a polymer modified poly(dimethylsiloxane) microchip with an integrated graphite electrospray tip, Analyst, 2005, 130(2), p. 193-199;  Chang, YZ and G.R. Her, Sheathless capillary electrophoresis/electrospray mass spectrometry using a carbon-coated fused-silica capillary, Analytical Chemistry, 2000, 72(3), p. 626-630を参照］を含む。あいにくコートされる先端部は、先端部で金属コーテングに作用する強い電界により寿命が短い。一般に、コーティングの劣化が動作に不安定を与える数日前の間だけこれらを用いることができる。安定性は、キャピラリ表面を前処理することによって、あるいはコーティングに異なる材料を混合することによって改善されるかもしれない［Ramsey R.S. and S.A. McLuckey, Capillary Electrophoresis/Electrospray Ionization Ion Trap Mass Spectrometry using a Sheathless Interface, Journal of Microcolumn Separations, 1995, 7(5), p. 461-469;  Chang, YZ and G.R. Her, Sheathless capillary electrophoresis/electrospray mass spectrometry using a carbon-coated fused-silica capillary, Analytical Chemistry, 2000, 72(3), p. 626-630を参照］。
【００１５】
Ｐｅｔｅｒｓｓｏｎとその同僚は、電気的接触を確立するためにキャピラリ先端部とキャピラリ先端部から僅かに退いた金属シースとの間に静止液の薄膜を用いる可能性を探究した［Petersson, M.A., G. Hulthe, and E. Fogelqvist, New sheathless interface for coupling capillary electrophoresis to electrospray mass spectrometry evaluated by the analysis of fatty acids and prostaglandins, Journal of Chromatography A,  1999, 854(1-2), p. 141-154を参照］。キャピラリ末端部に全く電極を持たずに、ＣＥ−ＥＳＩ−ＭＳを行うことができることも実証された。この場合、電気的接触は、キャピラリ先端部と質量分析器のアースされた開口との間の空間を介して確立される［Mazereeuw, M., A.J.P. Hofte, U.R. Tjaden, and J. van der Greef, A novel sheathless and electrodeless microelectrospray interface for the on-line coupling of capillary zone electrophoresis to mass spectrometry, Rapid Communications in Mass Spectrometry, 1997, 11(9), p. 981-986を参照］。これは接続に非常に単純な溶液を提供するように見えるが、質量分析器に対するキャピラリ先端部の位置は重大であり、分離とスプレーの電圧を別々に制御することはできない。
【００１６】
キャピラリ先端部のコーティングの代替案は、電気的接触を作成するためにキャピラリチャネルにワイヤ電極を挿入することである。この末端部に対して幾つかの異なる手段が検査された。大きな内径のキャピラリが用いられる場合、細いワイヤ電極はキャピラリチャネルの末端部［Fang, L., R. Zhang, E.R. Williams, and R.N. Zare, Online Time-of-Flight Mass Spectrometric Analysis of Peptides Separated by Capillary Electrophoresis, Analytical Chemistry, 1994, 66(21), p. 3696-3701を参照］、またはキャピラリ末端部近傍に空けられた小さな穴［Cao, P. and M. Moini, A novel sheathless interface for capillary electrophoresis/electrospray ionization mass spectrometry using an in-capillary electrode, Journal of the American Society for Mass Spectrometry, 1997, 8(5), p. 561-564を参照］に挿入されてもよい。しかしながら、これは乱流を生成し、ＣＥ分離の分解能を低下させる。乱流は、ワイヤではなく導電性の金エポキシで満たされた穴を用いることによって低下させることができるが、これは、電気分解が分離チャンネル内に発生するあらゆる状況で分離チャンネルの内側に気泡形成をもたらすかもしれない。
【００１７】
電気的接触を生成するための別の戦略は、流れの一部が外部の電極と接触するようにキャピラリから液流を分割することであり、これは分割流インターフェイスとして知られている。分割は、１つのキャピラリのドリル穴または小さな亀裂を介して達成され、これは分離チャンバとエレクトロスプレーの先端部の双方として役に立つ［Moini, M., Design and performance of a universal sheathless capillary electrophoresis to mass spectrometry interface using a split-flow technique, Analytical Chemistry, 2001, 73(14), p. 3497-3501を参照］。これは分離を維持することで十分役に立つが、この戦略の困難さは、２つの流路間の所望の分割比を提供する再現可能な穴または亀裂を作成することである。代替プロセスは、フッ化水素酸の使用であり、石英ガラスのキャピラリの外側表面の区画をエッチングし、キャピラリ壁が多孔質になる。次いで、キャピラリのエッチングされた部分を緩衝リザーバに浸すことによって［Janini, G.M., T.P. Conrads, K.L. Wilkens, H.J. Issaq, and T.D. Veenstra, A sheathless nanoflow electrospray interface for on-line capillary electrophoresis mass spectrometry, Analytical Chemistry, 2003, 75(7), p. 1615-1619を参照］、または薄膜の液体で満たされた金属シース内にこれを挿入することによって［Petersson, M.A., G. Hulthe, and E. Fogelqvist, New sheathless interface for coupling capillary electrophoresis to electrospray mass spectrometry evaluated by the analysis of fatty acids and prostaglandins, Journal of Chromatography A,  1999, 854(1-2), p. 141-154;  Whitt, J.T. and M. Moini, Capillary electrophoresis to mass spectrometry interface using a porous junction, Analytical Chemistry, 2003, 75(9), p. 2188-2191を参照］、キャピラリ壁の多孔性の場所を介して電気的接触を作成することができる。同様の装置がMoini, M., Simplifying CE-MS operation. 2. Interfacing low-flow separation techniques to mass spectrometry using a porous tip, Analytical Chemistry, 2007, 79(11), p. 4241-4246に記載されている。この種類のインターフェイスは完全に成功することが示されたが、この生産は目立たないが有害であり、キャピラリは非常に脆弱である。
【００１８】
２つのキャピラリのシースレスインターフェイスでは、分離キャピラリの端部と、ノズル先端部として作用するキャピラリとは、接合部で共に密接に突き合わされる。端子電極が配置される周囲の電解質へ電気的接触がどのように設置されても、付加的な流れが接合部に持ち込まれない。接合部は、微小透析管［Severs, J.C. and R.D. Smith, Characterization of the microdialysis junction interface for capillary electrophoresis/microelectrospray ionization mass spectrometry, Analytical Chemistry, 1997, 69(11), p. 2154-2158を参照］や、電源に接続された金属スリーブ［Figeys, D., I. van Oostveen, A. Ducret, and R. Aebersold, Protein identification by capillary zone electrophoresis/microelectrospray ionization-tandem mass spectrometry at the subfemtomole level, Analytical Chemistry, 1996, 68(11), p. 1822-1828を参照］、または微小Ｔ継手［Tong, W., A. Link, J.K. Eng, and J.R. Yates 3rd, Identification of proteins in complexes by solid-phase microextraction/multistep elution/capillary electrophoresis/tandem mass spectrometry, Analytical Chemistry, 1999, 71(13), p. 2270-2278を参照］を用いて構成され、２つのキャピラリを整列させ、電極との接点を導入した。これらの技術は、ＣＥ回路の外部へ電気分解プロセスの場所を移すという利点があるが、これらは分離分解能を低下させない方法で整列するのが困難である。同様に、噴霧器と電極の双方として動作する金属先端部に分離キャピラリを結合することも可能であるが、位置合せと気泡生成の問題が残る。
【００１９】
ＣＥで一般に用いられる多くの有機溶媒、塩類、およびその他の添加剤は、関心の被検体のイオン化効率にマイナスの影響を及ぼす場合があることが十分に文書化されている［Bruins, A.P., Mechanistic aspects of electrospray ionization, Journal of Chromatography A, 1998, 794(1-2), p. 345-357;  Cech, N.B. and C.G. Enke, Practical implications of some recent studies in electrospray ionization fundamentals, Mass Spectrometry Reviews, 2001, 20(6), p. 362-387;  Constantopoulos, T.L., G.S. Jackson and C.G. Enke, Effects of salt concentration on analyte response using electrospray ionization mass spectrometry, Journal of the American Society for Mass Spectrometry, 1999, 10(7), p. 625-634;  Dams, R., T. Benijts, W. Gunther, W. Lambert and A. De Leenheer, Influence of the eluent composition on the ionization efficiency for morphine of pneumatically assisted electrospray, atmospheric-pressure chemical ionization and sonic spray, Rapid Communications in Mass Spectrometry, 2002, 16(11), p. 1072-1077を参照］。これは、より互換性のあるシース液体でＣＥ流出物の成分を変更するシース流インターフェイスまたは液絡インターフェイスの使用によって一部解決することができる。類似するコンセプトがさらに、液体クロマトグラフィに存在する。例えば、変更する溶液がＬＣ流出物に加えられ、流動相内のトリフルオロ酢酸によりイオン化抑制を防止する［Apffel, A., S. Fischer, G. Goldberg, P.C. Goodley and F.E. Kuhlmann, Enhanced sensitivity for peptide mapping with electrospray liquid chromatography-mass spectrometry in the presence of signal suppression due to trifluoroacetic acid-containing mobile phases, Journal of Chromatography A, 1995, 712(1), p. 177-190を参照］。被検体の化学環境にこの種類を調節することは、イオン化条件を最適化することによって検知感度を著しく上昇することができる。
【発明の概要】
【００２０】
本発明の一態様の目的は、質量分析と接続するための貫流アウトレットバイアルを持った自己完結型キャピラリ電気泳動システムを提供することである。本発明の更なる目的は、検出システムにキャピラリ電気泳動および／またはクロマトグラフ分離をオンラインで接続する手段を提供することである。検出システムは、質量分析を含む１以上の多くの検出および／または分析方法とすることができる。本発明の更なる目的は、検出システムにキャピラリ電気泳動分離を接続する手段であって、組み立てるのが簡単で安価な手段を提供することである。
【００２１】
本発明の一態様によれば、直列下流検出システムにキャピラリを接続するためのキャピラリ電気泳動（ＣＥ）マイクロバイアルカプラにおいて、内部のテーパ状の空洞を規定する内壁を有する導電性中空針であって、前記針が上流の開口と下流の出口を有し、前記下流の出口が前記上流の開口に軸方向で対向し、前記内部のテーパ状の空洞が前記開口の大径から前記出口の小径へ減少する径を有するよう寸法構成され、前記開口から前記出口へ長手方向に内壁上にテーパ形状を形成し、前記開口の大径が摺動自在にキャピラリの末端部を受け入れるよう寸法構成された導電性中空針を具えることを特徴とするマイクロカプラが提供される。
【００２２】
本発明の更なる態様によれば、キャピラリ電気泳動（ＣＥ）システムにおいて、上流の入端部および下流の末端部を有するキャピラリと；内部のテーパ状の空洞を規定する内壁を有する導電性中空針であって、前記針が上流の開口と下流の出口を有し、前記下流の出口が前記上流の開口に軸方向で対向し、前記内部のテーパ状の空洞が前記開口の大径から前記出口の小径へ減少する径を有するよう寸法構成され、前記開口から前記出口へ長手方向に内壁上にテーパ形状を形成し、前記開口の大径が前記キャピラリの末端部を摺動自在に受け入れるよう寸法構成され、前記キャピラリがある距離まで内部のテーパ状の空洞内に長手方向に挿入されて取り付けられ、これによって前記キャピラリの末端部が前記テーパ状の針の内壁に接する導電性中空針と；を具え、前記キャピラリの末端部と前記下流の出口との間にマイクロリザーバが形成されることを特徴とするシステムが提供される。
【００２３】
本発明の別の態様によれば、シースレスＣＥ−ＭＳインタフェースにおいて、上流の開口から下流の開口へ針軸に沿ってテーパ状の空洞を規定する針壁を有する導電性中空針と；端部と外径を有するキャピラリであって、前記キャピラリの外径が前記下流の開口より大きく、前記キャピラリがバックグラウンド電解質を自身に含むのに適しており、前記キャピラリの端部が前記空洞内に配置され、前記キャピラリの端部と前記針壁がマイクロリザーバを規定するキャピラリと；を具え、前記マイクロリザーバがリザーバ電解質を含むのに適しており、前記マイクロリザーバが前記リザーバ電解質を含むときに、前記リザーバ電解質が、前記バックグラウンド電解質と前記導電性中空針との間に電気的接続を形成してＣＥ分離をもたらすことを特徴とするシースレスＣＥ−ＭＳインタフェースが提供される。
【００２４】
本発明の別の態様によれば、シースレスＣＥ−ＭＳシステムにおいて、第１バイアルと；第１バイアル内に配置された電極と；上流の開口から下流の開口へ針軸に沿ったテーパ状の空洞を規定する導電壁を有する中空針と；第１端部と、第２端部と、外径とを有するキャピラリであって、前記外径が前記下流の開口より大きく、前記第１端部が前記第１バイアル内に配置され、前記第２端部が前記空洞内に配置され、前記第２端部と前記中空針の内壁がマイクロリザーバを規定するキャピラリと；前記下流の開口近傍の対電極と；前記電極と前記針との間に印加される第１電位と；前記針と前記対電極との間に印加される第２電位と；前記マイクロリザーバがリザーバ電解質を含むのに適しており、前記マイクロリザーバが前記リザーバ電解質を含むとき、前記リザーバ電解質が前記キャピラリの第２端部と前記針との間に電気的接続を形成してＣＥ分離とエレクトロスプレーをもたらすことを特徴とするシースレスＣＥ−ＭＳインタフェースが提供される。
【００２５】
本発明の利点は、テーパ状の針へのキャピラリの自動的な位置合せと；検出システムとキャピラリ電気泳動分離の簡単で安価なインターフェイスと；大量生産への適用可能性と；長手方向に針の内部へキャピラリの位置決めの再現可能性と；針内へのキャピラリの同軸の位置合せと；必要とされる場合にキャピラリの置換が容易な設計と；溶液の副流に対する容易な適合可能性と；分離とエレクトロスプレープロセスとの間の被検体の良好な分解能と、を含む。
【図面の簡単な説明】
【００２６】
好適な実施例の詳細な説明が、以下の図面に関して以下で提供される。
【００２７】
【図１（ａ）】図１（ａ）は、本発明の実施例に係るシースレスキャピラリ電気泳動−質量分析（ＣＥ−ＭＳ）システムを示す平面図である。
【図１（ｂ）】図１（ｂ）は、図１（ａ）のシースレスＣＥ−ＭＳシステムのキャピラリと、スプレー針と、取付部品との間の機械的接続を詳細に示す平面図である。
【図２（ａ）】図２（ａ）は、本発明の別の実施例に係るシースレスキャピラリ電気泳動−質量分析（ＣＥ−ＭＳ）システムを示す平面図である。
【図２（ｂ）】図２（ｂ）は、図２（ａ）のシースレスＣＥ−ＭＳシステムのキャピラリと、スプレー針と、取付部品との間の機械的接続を詳細に示す平面図である。
【図３（ａ）】図３（ａ）は、図１のシースレスＣＥ−ＭＳシステムのエレクトロスプレー針内への分離キャピラリの挿入を詳細に示す平面図である。
【図３（ｂ）】図３（ｂ）は、図２のシースレスＣＥ−ＭＳシステムのエレクトロスプレー針内への分離キャピラリの挿入を詳細に示す平面図である。
【図４】図４は、ＣＥのみのモードで動作する本発明の実施例を用いて得た電気泳動分離の典型的な吸光度トレースを示すグラフである。
【図５】図５は、ＣＥのみのモードで動作した場合に本発明の実施例のエレクトロスプレー針を出る典型的な液滴を示す図である。
【図６】図６は、エレクトロスプレーイオン化源のみとして動作するよう設定した本発明の実施例から得た典型的な質量分析トレースを示すグラフである。
【図７】図７は、アミノ酸の混合物を分離する本発明の実施例の動作から得た典型的な質量分析データを示す図である。アミノ酸の電気泳動図は、Ａ）グリシン、Ｂ）アラニン、Ｃ）セリン、Ｄ）プロリン、Ｅ）バリン、Ｆ）トレオニン、Ｇ）システイン、Ｈ）イソロイシン、Ｉ）アスパラギン、Ｊ）アスパラギン酸、Ｋ）グルタミン、リジン、Ｌ）グルタミン酸、Ｍ）メチオニン、Ｎ）ヒスチジン、Ｏ）フェニルアラニン、Ｐ）アルギニン、Ｑ）トリプトファンである。
【図８】図８は、本発明の実施例を用いてペプチドの混合物を分離する典型的な重量分析データを示す図である。電気泳動図は、Ｒ）アンギオテンシンＩＩ（＋２）と；Ｓ）メチオニンエンケファリン（＋１）と、Ｔ）Ｐ物質（＋２）と、Ｕ）ブラジキニン（＋２）と、Ｖ）ニューロテンシン（＋２）と、Ｗ）全イオンとに対応して特定される。
【図９】図９は、（ａ）高速流および（ｂ）低速流における本発明の実施例のＶ字形の先端部を有する針から発生するエレクトロスプレーイオン化を示す図である。
【００２８】
図面では、本発明の好適な実施形態は実施例により示される。説明および図面は、例示および理解の助けに過ぎず、本発明の範囲の定義として意図されないことを特に理解されたい。
【発明を実施するための形態】
【００２９】
分離キャピラリは、キャピラリの外径より僅かに大きな内径を有する導電性針へ挿入される。針先端部では、先端部近傍の内径がＣＥ分離キャピラリの外径以下となるように針の内部形状が形成される。例えば、針の内部形状はテーパ状でもよいし、または丸くされてもよく、これが長手方向に針の内部へキャピラリの位置決めを再現可能にし、キャピラリは針の内径がキャピラリの外径と一致する点まで針に入るに過ぎない。対称的な内部のテーパ形状がキャピラリを針内の中心に保持するので、同軸の位置合せも達成される。針の内径は、キャピラリの内径より大きいか、等しいか、または小さい。一旦キャピラリが針内へ挿入されたならば、キャピラリをその位置で保持するのに標準的な取付部品が用いられる。必要ならばキャピラリを引き抜き、新しいものを挿入することによってＣＥキャピラリを容易に交換することができる。大量生産の場合には、一体構造のＣＥ−ＭＳカートリッジ、または針先端部を取り付けられたキャピラリを手頃なコストで製造することができる。針内に溶液の副流を加えるのにＴ継手を用いることができ、これにより針を出る前に分離キャピラリの末端部の近くで補助溶液が同軸に流れる。
【００３０】
シースレスインターフェイス内の分離キャピラリの末端部における開口量は、従来のＣＥ分離で用いられるアウトレットバイアルに置き換わる貫流マイクロリザーバを構成し、電極との電気的接触を提供する一方で、被検体と電気分解の生成物とが針先端部を通過するのを可能にする。マイクロリザーバの充満または補充は、分離を始める前にＣＥキャピラリへバックグラウンド電解質を流すことによって、またはＴ継手へ補助溶液を流すことによって簡単に達成されるであろう。キャピラリ末端部と針出口との間のマイクロリザーバ容積の存在は、ＣＥキャピラリ上に分離されたピーク形状に著しく影響を与えない。したがって、分離とエレクトロスプレープロセスとの間の被検体の良好な分解能を維持することが可能である。
【００３１】
この貫流マイクロバイアルの使用は、接続された検出器からＣＥプロセスを本質的に切り離し、ＣＥプロセスをその種類および連結された検出器の動作原理に依存しないようにする。このため検出器が何であるかに拘わらず、ＣＥプロセスが継続してもよい。後続の分析法と互換性を増すため、流出物の流速と化学的性質との双方を変更するのに補助溶液を追加することができる。次いで、マイクロバイアルの外に出て来る流出物は次の段階のプロセスに運ばれ、イオン化またはその他の手段の何れかによって、最適化された検出条件の被検体を準備する。
【００３２】
エレクトロスプレー針は、電源に接続され、ＣＥ分離の端子電極として、また被検体のエレクトロスプレーイオン化に必要な電気回路の一部として動作する。ＣＥのインレット電極と、エレクトロスプレー針と、ＥＳＩ対電極との相対電位は、所望のＣＥとＥＳＩのモードに依存するであろう。異なるＣＥの使用と変更因子の条件を通じて提供される流速を償うために、Ｖ字形の針先端部を用いることができる。この場合、Ｖ字形の最も鋭い点のテイラーコーン形状と、そのコーンのサイズが針の開口を出る流速を自動調整し、流速に拘わらず安定したスプレー動作を可能にする。
【００３３】
図１（ａ）と図１（ｂ）を参照すると、本発明の実施例に係るシースレスキャピラリ電気泳動−質量分析（ＣＥ−ＭＳ）システムが平面図で示されている。システム（１）は、液体試料（１２）を保持する第１バイアル（１０）と；第１バイアル（１０）内に配置され、第１高電圧電源（１６）に接続された電極（１５）と；液体試料（１２）内に配置された第１端部（１８）と第２端部（２０）とを有する石英ガラスキャピラリ（１４）と、を具える。内部のテーパ状の空洞（３０）を規定する内壁を有する導電性中空針（２２）が提供され（図３（ａ）を参照）、針（２２）が上流の開口（２１）と下流の出口（２３）を有し、下流の出口（２３）が上流の開口（２１）に軸方向で対向し、内部のテーパ状の空洞が開口の大径から出口（２３）の小径へ減少する径を有するよう寸法構成され、開口から出口（２３）へ長手方向に内壁にテーパ形状を形成し、開口の大径がキャピラリ（１４）の第２端部（２０）を摺動自在に受け入れるよう寸法構成される。図１（ｂ）に示されるように、上流と下流ＰＥＥＫを含む標準のクロマトグラフィー取付部品もしくはステンレス鋼ナット（１６，１８）と、継手（１９）と、フェルール（１７）とはキャピラリ（１４）と針（２２）を適所に接続し保持するために提供される。電極（１５）と針（２２）との間に第１電位を印加することができるように、針（２２）は第２電源（２６）に接続される。対電極（２８）は、針（２２）の出口（２３）の下流に配置される。対電極（２８）は、任意の標準質量分析の試料の開口か、もしくは電気的に接続される任意の器械のインターフェイスでもよい。第１バイアル（１０）と、針（２２）と、対電極（２８）の相対電圧は、所望のキャピラリ電気泳動およびエレクトロスプレーイオン化のモードに依存するであろう。針（２２）の出口（２３）と対電極（２８）との間の領域は、大気圧のままでよい。
【００３４】
図３（ａ）に示されるように、キャピラリ（１４）の第２端部（２０）が針（２２）の内部のテーパ状の空洞（３０）内へ挿入されるとき、貫流マイクロリザーバ（３２）は、キャピラリ（１４）の第２端部（２０）と下流の出口（２３）との間に形成される。マイクロリザーバ（３２）がリザーバ電解質を含むのに適しており、マイクロリザーバ（３２）がリザーバ電解質を含むとき、リザーバ電解質がキャピラリ（１４）の第２端部（２０）と針（２２）との間に電気的接続を形成してキャピラリ電気泳動分離とエレクトロスプレーをもたらす。マイクロリザーバは、図３に示されるものに加えて多くの形状をなしてもよく、極端な場合には、単に針の開口量や電極先端部の金属の厚さでもよい。マイクロリザーバの特徴は、これが金属スプレー針とキャピラリ内の溶液との間の電気的接触を提供するということである。
【００３５】
図２（ａ）と図２（ｂ）を参照すると、本発明の別の実施例に係るシースレスキャピラリ電気泳動−質量分析（ＣＥ−ＭＳ）システム（１００）が平面図で示されている。システム（１００）は、液体試料（１２０）を保持する第１バイアル（１０１）と；第１バイアル（１０１）内に配置され、第１高電圧電源（１６０）に接続された電極（１５０）と；液体試料（１２０）内に配置された第１端部（１８０）と第２端部（２００）とを有する石英ガラスキャピラリ（１４０）と、を具える。内部のテーパ状の空洞（３００）を規定する内壁を有する導電性中空針（２２０）が提供され（図３（ｂ）を参照）、針（２２０）が上流の開口（２１０）と下流の出口（２３０）を有し、下流の出口（２３０）が上流の開口（２１０）に軸方向で対向し、内部のテーパ状の空洞が開口の大径から出口（２３０）の小径へ減少する径を有するよう寸法構成され、開口から出口（２３０）へ長手方向に内壁にテーパ形状を形成し、開口の大径が第１キャピラリ（１４０）の第２端部（２００）を摺動自在に受け入れるよう寸法構成される。システム（１００）はさらに、第１端部（４８０）と第２端部（６００）を有する予備の石英ガラスキャピラリ（４００）を具える。第１端部（４８０）は、予備のバイアル（４１０）に含まれる補助液試料（４１２）内に配置され、補助電極（４１５）は、予備のバイアル（４１０）内に配置され、グランドに接続された。
【００３６】
図２（ｂ）に示されるように、上流と下流ＰＥＥＫを含む標準のクロマトグラフィー取付部品もしくはステンレス鋼ナット（４６０，４８１）と、Ｔ継手（４９０）と、フェルール（４２０）と、ＰＥＥＫナット（４２１）とは、第１キャピラリ（１４０）と針（２２０）を適所に直線配置で接続し保持し、予備のキャピラリ（４００）をその間で垂直に保持し配向するために提供される。電極（１５０）と針（２２０）との間に第１電位を印加することができるように、針（２２０）は第２電源（２６０）に接続される。対電極（２８０）は、針（２２０）の出口（２３０）の下流に配置される。対電極（２８０）は、任意の標準質量分析の試料の開口か、もしくは電気的に接続される任意の器械のインターフェイスでもよい。第１バイアル（１０１）と、針（２２０）と、対電極（２８０）の相対電圧は、所望のキャピラリ電気泳動およびエレクトロスプレーイオン化のモードに依存するであろう。針（２２０）の出口（２３０）と対電極（２８０）との間の領域は、大気圧のままでよい。
【００３７】
図３（ｂ）に示されるように、第１キャピラリ（１４０）の第２端部（２００）が針（２２０）の内部のテーパ状の空洞（３００）内へ挿入されるとき、貫流マイクロリザーバ（３２０）は、キャピラリ（１４０）の第２端部（２００）と下流の出口（２３０）との間に形成される。マイクロリザーバ（３２０）はリザーバ電解質を含むのに適しており、マイクロリザーバ（３２０）がリザーバ電解質を含むとき、リザーバ電解質が第１キャピラリ（１４０）の第２端部（２００）と針（２２０）との間に電気的接続を形成してキャピラリ電気泳動分離とエレクトロスプレーをもたらす。
【００３８】
補助液試料（４１２）は、第１端部（４８０）から第２端部（６００）へ予備のキャピラリ（４００）を介して流れ、Ｔ継手（４９０）の内部の空洞（４９２）内に流れ、これによって第１キャピラリ（１４０）の外側表面を取り囲み、マイクロリザーバ（３２０）内に流れる。
【００３９】
図３は、本発明の自動調節の特性を実証し、これによって、スプレー針の内部のテーパ形状が、両方とも針の出口に関して中心となり、マイクロリザーバの量に関して一致する位置にキャピラリを案内する。
【００４０】
マイクロリザーバは、インターフェイスが完備したアウトレットバイアルの代替品を提供するという独特の特徴を提供し、エレクトロスプレーがない状態でＣＥを実行することができる。
【００４１】
図４を参照すると、ＣＥのみのモードで動作する本発明の実施例を用いて得た電気泳動分離の典型的な吸光度トレースが示されている。図４は、ＣＥのみのモードでインターフェイスを用いてアミノ酸とカフェインの混合物を分離した吸光度トレースを示している。この場合、針はアースされ、液体は液滴として針を出る。ＣＥのみのモードは、改善された汎用性を提供し、ＣＥ−ＭＳ構成を変更せずにＣＥ分離に先立って動電学的注入を使用することができる。また、これはＣＥ分離の一部のみをスプレーするという可能性も利用でき、これは高塩濃度緩衝液または界面活性剤を必要とするオンライン合焦技術または誘導技術に有利となるであろう。
【００４２】
図５を参照すると、ＣＥのみのモードで操作された場合に本発明の実施例のエレクトロスプレー針を出る典型的な液滴が示されている。
【００４３】
図６を参照すると、エレクトロスプレーイオン化源のみとして動作するよう設定した本発明の実施例から得た典型的な質量分析トレースが示されている。図６は、補助溶液のないＥＳＩのみのモードで動作するインターフェイスを示す。圧力だけを用いてインターフェイス中を押し進められるとき、カフェイン（０．５ｍＭのリン酸、ｐＨ９、１０％メタノール）の栓がＭＳによって噴射されて検出される。この注入は１０ゲージｐｓｉで０．５秒間２５ｋＶで行われた。この対称的なピークプロフィールは、マイクロリザーバ内の溶液とマイクロバイアルの形状とがピーク形状を著しく歪めず、キャピラリの外に出る被検体がマイクロリザーバによって捕らえられないことを示している。
【００４４】
図７を参照すると、本発明の実施例の動作から得られる典型的な質量分析データが示されている。図７は、アミノ酸の混合物のＣＥ分離の重量分析データを示しており、酸性のバックグラウンド電解質が用いられる場合に副流を使用してＣＥ分離のゼロに近い量の流れを補う。アミノ酸の混合物はＣＥによって分離され、ＭＳによって分離される。アミノ酸であるＡ）グリシン、Ｂ）アラニン、Ｃ）セリン、Ｄ）プロリン、Ｅ）バリン、Ｆ）トレオニン、Ｇ）システイン、Ｈ）イソロイシン、Ｉ）アスパラギン、Ｊ）アスパラギン酸、Ｋ）グルタミン、リジン、Ｌ）グルタミン酸、Ｍ）メチオニン、Ｎ）ヒスチジン、Ｏ）フェニルアラニン、Ｐ）アルギニン、Ｑ）トリプトファンの分離が示されている。
【００４５】
図８を参照すると、オンラインのエレクトロスプレーイオン化と共に５つのペプチドの混合物を圧力支援下でＣＥ分離した重量分析データが示されている。Ｗは、全イオンの電気泳動図を示す。Ｒは、４４９．６−４５０．３ｍ／ｚ範囲のアンギオテンシンＩＩ（＋２）の電気泳動図である。Ｓは、５７３．８−５７４．２ｍ／ｚ範囲のメチオニンエンケファリン（＋１）の電気泳動図である。Ｔは、６７２．９−６７４．４ｍ／ｚ範囲のＰ物質（＋２）の電気泳動図である。Ｕは、５３０．０−５３１．１ｍ／ｚ範囲のブラジキニン（＋２）の電気泳動図である。Ｖは、８３７．５−８３８．８ｍ／ｚ範囲のニューロテンシン（＋２）の電気泳動図である。ＣＥ分離パラメータもエレクトロスプレーパラメータも分析に先立って最適化されなかった。分析されたペプチドの様々な荷電状態のピークの同一性は、以下の表１に記録される。
【表１】
2015148622.tif 000003
【００４６】
図９を参照すると、（ａ）高速流および（ｂ）低速流における斜めの先端を持つ斜めのの針先端部から発生する典型的なエレクトロスプレーイオン化が示されている。異なる流速に応じてテイラーコーンを自動調整する特性を観察することができる。図９（ａ）では、低速流の変更因子が加えられると、斜めの最も鋭い点で小さなテイラーコーンの形成をもたらす。図９（ｂ）では、変更因子として流速を増加すると、テイラーコーンのサイズが対応して増加する。これは、斜めの針先端部が用いられるときにインターフェイスを自動調整する特性を証明している。システムを更に変更せずに同じインターフェイスによって広い範囲の流出速度を取り扱うことができる。
【００４７】
本発明の範囲から外れずに、上述した本発明の特定の実施例に対して多数の変更、変形、および適合がなされてもよい。このような変更または変形は全て、本書に添付されたクレームによって規定される本発明の分野と範囲内にあるものと考えられる。
【図１（ａ）】
2015148622.tif 000004
【図１（ｂ）】
2015148622.tif 000005
【図２（ａ）】
2015148622.tif 000006
【図２（ｂ）】
2015148622.tif 000007
【図３（ａ）】
2015148622.tif 000008
【図３（ｂ）】
2015148622.tif 000009
【図４】
2015148622.tif 000010
【図５】
2015148622.tif 000011
【図６】
2015148622.tif 000012
【図７】
2015148622.tif 000013
【図８】
2015148622.tif 000014
【図９】
2015148622.tif 000015